Podtech/llm-jp-corpus-v4-ja_patent huggingface dataset:
【手続補正書】
【提出日】平成28年4月7日(2016.4.7)
【手続補正１】
【補正対象書類名】明細書
【補正対象項目名】０００５
【補正方法】変更
【補正の内容】
【０００５】
本発明の一の態様によれば、
描画対象面のデザイン画像の輪郭で囲まれたデザイン領域内の全体に、描画用具により下地用のインクが塗布されて前記描画対象面に形成されている下地領域の輪郭を、前記デザイン画像が前記描画対象面上に印刷される前に、下地情報として検出する下地情報検出部と、
前記下地情報に基づいて、前記デザイン画像のサイズを前記下地領域の全領域を覆うことができる大きさに調整した、調整後のデザイン画像を生成するデザイン調整部と、
前記調整後のデザイン画像を、前記下地領域の全領域を覆うように、前記下地領域上に印刷する印刷ヘッドと、を備えることを特徴とする描画装置が提供される。
【手続補正２】
【補正対象書類名】明細書
【補正対象項目名】０００６
【補正方法】変更
【補正の内容】
【０００６】
また、本発明の他の態様によれば、
描画対象面のデザイン画像の輪郭で囲まれたデザイン領域内の全体に、描画用具により下地用のインクが塗布されて前記描画対象面に形成されている下地領域の輪郭を、前記デザイン画像が前記描画対象面上に印刷される前に、下地情報として検出し、
前記下地情報に基づいて、前記デザイン画像のサイズを前記下地領域の全領域を覆うことができる大きさに調整した、調整後のデザイン画像を生成し、
前記調整後のデザイン画像を、前記下地領域の全領域を覆うように、前記下地領域上に印刷することを特徴とする描画装置の描画制御方法が提供される。
【手続補正３】
【補正対象書類名】特許請求の範囲
【補正対象項目名】全文
【補正方法】変更
【補正の内容】
【特許請求の範囲】
【請求項１】
描画対象面のデザイン画像の輪郭で囲まれたデザイン領域内の全体に、描画用具により下地用のインクが塗布されて前記描画対象面に形成されている下地領域の輪郭を、前記デザイン画像が前記描画対象面上に印刷される前に、下地情報として検出する下地情報検出部と、
前記下地情報に基づいて、前記デザイン画像のサイズを前記下地領域の全領域を覆うことができる大きさに調整した、調整後のデザイン画像を生成するデザイン調整部と、
前記調整後のデザイン画像を、前記下地領域の全領域を覆うように、前記下地領域上に印刷する印刷ヘッドと、を備えることを特徴とする描画装置。
【請求項２】
請求項１記載の描画装置において、
前記描画対象に形成されている前記下地領域を撮影する撮像部を更に備え、
前記下地情報検出部は、前記撮像部による前記撮影により取得された画像に基づいて、前記下地の輪郭を前記下地情報として検出することを特徴とする描画装置。
【請求項３】
請求項１又は２に記載の描画装置において、
前記下地領域は前記デザイン領域より大きく形成されており、
前記デザイン調整部は、前記調整後のデザイン画像の輪郭を、前記下地情報検出部により検出された前記下地の輪郭に一致した形状とすることを特徴とする描画装置。
【請求項４】
請求項１又は２に記載の描画装置において、
前記下地領域は前記デザイン領域より大きく形成されており、
前記デザイン調整部は、前記調整後のデザイン画像の輪郭を、前記下地情報検出部により検出された前記下地の輪郭から外側に少なくとも設定量だけ広げた形状とすることを特徴とする描画装置。
【請求項５】
請求項４に記載の描画装置において、前記設定量は、１０μｍ〜５００μｍであることを特徴とする描画装置。
【請求項６】
請求項４に記載の描画装置において、前記設定量は、前記下地用のインクの種類、前記描画用具の種類、の少なくとも何れかに基づいて設定されることを特徴とする描画装置。
【請求項７】
請求項１〜６のいずれか一項に記載の描画装置において、
前記描画用具は、前記描画対象面に接触して前記描画対象面に前記下地用のインクを塗布するペンであり、
前記印刷ヘッドは、インクジェット方式により前記印刷を行うことを特徴とする描画装置。
【請求項８】
描画対象面のデザイン画像の輪郭で囲まれたデザイン領域内の全体に、描画用具により下地用のインクが塗布されて前記描画対象面に形成されている下地領域の輪郭を、前記デザイン画像が前記描画対象面上に印刷される前に、下地情報として検出し、
前記下地情報に基づいて、前記デザイン画像のサイズを前記下地領域の全領域を覆うことができる大きさに調整した、調整後のデザイン画像を生成し、
前記調整後のデザイン画像を、前記下地領域の全領域を覆うように、前記下地領域上に印刷することを特徴とする描画装置の描画制御方法。
【手続補正書】
【提出日】平成28年10月5日(2016.10.5)
【手続補正１】
【補正対象書類名】明細書
【補正対象項目名】００１８
【補正方法】変更
【補正の内容】
【００１８】
インクパッチチャート５４は、図２に示すように、横軸方向に長い矩形エリア（Ｅ１）を有し、この矩形エリア（Ｅ１）の横軸方向の両端に円孤ａと弦ｂで囲まれた弓形エリア（Ｅ２）（Ｅ２）を備えている。円孤ａの曲率半径は、測色器開口部４４の円形の曲率半径と同一もしくは、これより若干大きく設定されている。インクパッチチャート５４の長軸と短軸の比は、実験的に最適なものが適宜設定されるが、インクジェットプリンタ４の印字ヘッド１０に取り付けた測色器２４で、インクパッチチャート５４を測色する場合に使用されるインクパッチチャート５４においては、測色器２４の開口部４４が、図３に示すように測色時、インクパッチチャート５４の長軸の両端の弓形エリア（Ｅ２）（Ｅ２）に正確に一致するように、長軸の長さが測色器２４の測色ピッチに適合する長さに設定されている。
【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
それぞれ複数の種類のパラメータを有する複数のオブジェクトが記憶される記憶部を備えるコンピュータの制御プログラムであって、
前記記憶部に記憶された複数のオブジェクトを配置してオブジェクトのセットを構成し、
前記複数の種類毎に、複数の所定の位置にそれぞれ配置されるオブジェクトのそれぞれのパラメータに応じて、前記オブジェクトのセットを構成する各オブジェクトのパラメータとは異なる前記オブジェクトのセット全体のパラメータとして一つのパラメータを決定し、
前記複数の種類毎に決定したオブジェクトのセット全体のパラメータを用いて対戦を行う、
ことを前記コンピュータに実行させることを特徴とする制御プログラム。
【請求項２】
前記構成において、前記複数のオブジェクトを複数の領域に分けて配置し、
さらに、前記オブジェクトのセットを構成するオブジェクトの内、第１の領域に配置された第１のオブジェクトが表示され、且つ、前記第１の領域と異なる第２の領域に配置された第２のオブジェクトが表示されないように、前記オブジェクトの位置を移動させ、
前記対戦において、前記第１の領域に配置された全ての第１のオブジェクトのパラメータを用いて、且つ、前記第２の領域に配置された全ての第２のオブジェクトのパラメータを用いずに、前記対戦相手との対戦を行う、請求項１に記載の制御プログラム。
【請求項３】
前記第２の領域は、前記第１の領域より対戦相手から離れた領域である、請求項２に記載の制御プログラム。
【請求項４】
前記パラメータは、攻撃力、防御力、体力、希少性または属性のうち少なくともいずれか１つを含む、請求項１〜３の何れか一項に記載の制御プログラム。
【請求項５】
前記移動において、前記オブジェクトのセットに配置されるオブジェクトの位置を、特定のオブジェクトを中心に回転させることにより移動させる、請求項１〜４の何れか一項に記載の制御プログラム。
【請求項６】
前記移動において、前記オブジェクトの移動量及び／または移動方向を抽選によって決定する、請求項１〜５の何れか一項に記載の制御プログラム。
【請求項７】
前記オブジェクトのセット全体のパラメータは、前記オブジェクトのセットに配置される、オブジェクトが有するパラメータが、特定の並びとなった際に強化される、請求項１〜６の何れか一項に記載の制御プログラム。
【請求項８】
前記オブジェクトのセットは、多面体に配置され、
前記移動において、多面体の面をまたいで前記オブジェクトを移動させる、請求項１〜７の何れか一項に記載の制御プログラム。
【請求項９】
前記構成において、第１のオブジェクトのセット及び第２のオブジェクトのセットを構成し、
前記第２のオブジェクトのセットに配置されるオブジェクトは、前記第１のオブジェクトのセットに配置されるオブジェクトのパラメータに応じて、前記第１のオブジェクトのセットに配置されるオブジェクトと入れ替わる、請求項１〜８の何れか一項に記載の制御プログラム。
【請求項１０】
前記第１のオブジェクトのセットは、前記ゲームに参加し対戦を行うオブジェクトを少なくとも１つ含み、
前記第２のオブジェクトのセットは、前記ゲームに参加し対戦を行うオブジェクトを含まない、請求項９に記載の制御プログラム。
【請求項１１】
それぞれ複数の種類のパラメータを有する複数のオブジェクトが記憶される記憶部を備えるコンピュータの制御方法であって、
前記記憶部に記憶された複数のオブジェクトを配置してオブジェクトのセットを構成し、
前記複数の種類毎に、複数の所定の位置にそれぞれ配置されるオブジェクトのそれぞれのパラメータに応じて、前記オブジェクトのセットを構成する各オブジェクトのパラメータとは異なる前記オブジェクトのセット全体のパラメータとして一つのパラメータを決定し、
前記複数の種類毎に決定したオブジェクトのセット全体のパラメータを用いて対戦を行う、
ことを含むことを特徴とする制御方法。
【請求項１２】
それぞれ複数の種類のパラメータを有する複数のオブジェクトが記憶される記憶部と、
前記記憶部に記憶された複数のオブジェクトを配置してオブジェクトのセットを構成し、前記複数の種類毎に、複数の所定の位置にそれぞれ配置されるオブジェクトのそれぞれのパラメータに応じて、前記オブジェクトのセットを構成する各オブジェクトのパラメータとは異なる前記オブジェクトのセット全体のパラメータとして一つのパラメータを決定し、前記複数の種類毎に決定したオブジェクトのセット全体のパラメータを用いて対戦を行う編成部と、
を備えることを特徴とするコンピュータ。
【手続補正書】
【提出日】平成28年9月15日(2016.9.15)
【手続補正１】
【補正対象書類名】明細書
【補正対象項目名】０００６
【補正方法】変更
【補正の内容】
【０００６】
しかし特許文献１に記載のラベルプリンタでは、廃インクが記録用インクに混入するのを防止するために、廃インク貯留室はインクタンクの一部に独立した空間として設けられている。そのため、本来、記録用インクが収められる部分に廃インク貯留室があり、記録用インクを収容する容積を少なくせざるを得ない。そのためインクタンクの交換が頻繁になり生産性が下がることになる。
【手続補正２】
【補正対象書類名】明細書
【補正対象項目名】０００７
【補正方法】変更
【補正の内容】
【０００７】
そこで本発明は、十分な量の記録用インクを収納し、記録用インクに混入させずに廃インクを貯留可能な液体収納容器、それを備えた液体吐出装置および液体回収方法を提供することを目的とする。
【手続補正３】
【補正対象書類名】明細書
【補正対象項目名】０００８
【補正方法】変更
【補正の内容】
【０００８】
本発明の液体収納容器は、液体吐出ヘッドに供給する第１の液体を吸収する液体吸収体と、前記液体吐出ヘッドへ供給されない第２の液体を前記液体吸収体に導くように設けられた導入口と、前記液体吸収体に吸収されている前記第１の液体を前記液体吐出ヘッドに供給し終えるまで、前記第１の液体と前記第２の液体とが混ざらないようにする防止手段と、を有することを特徴とする。
【手続補正４】
【補正対象書類名】明細書
【補正対象項目名】０００９
【補正方法】変更
【補正の内容】
【０００９】
本発明によれば、十分な量の記録用インクを収納し、記録用インクに混入させずに廃インクを貯留可能な液体収納容器、それを備えた液体吐出装置および液体回収方法を提供することができる。
【手続補正５】
【補正対象書類名】特許請求の範囲
【補正対象項目名】全文
【補正方法】変更
【補正の内容】
【特許請求の範囲】
【請求項１】
液体吐出ヘッドに供給する第１の液体を吸収する液体吸収体と、
前記液体吐出ヘッドへ供給されない第２の液体を前記液体吸収体に導くように設けられた導入口と、
前記液体吸収体に吸収されている前記第１の液体を前記液体吐出ヘッドに供給し終えるまで、前記第１の液体と前記第２の液体とが混ざらないようにする防止手段と、
を有することを特徴とする液体収納容器。
【請求項２】
前記液体吸収体において前記第２の液体が収容される部位は、前記液体吐出ヘッドに供給される前の前記第１の液体が収容されていた部位であることを特徴とする、請求項１に記載の液体収納容器。
【請求項３】
前記導入口は、前記液体収納容器の内部と大気とを連通する大気連通口を兼ねていることを特徴とする請求項１または請求項２に記載の液体収納容器。
【請求項４】
前記第２の液体は、前記液体吐出ヘッドの吐出状態を回復するための回復処理で前記液体吐出ヘッドから吐出された液体と吸引された液体のうち少なくとも一方を含んでいることを特徴とする請求項１乃至請求項３のいずれか１項に記載の液体収納容器。
【請求項５】
前記導入口は、前記液体収納容器の内部と大気とを連通する大気連通口を兼ねており、
前記第２の液体は、前記液体吐出ヘッドの吐出状態を回復するための回復処理で前記液体吐出ヘッドから吐出された液体と吸引された液体のうち少なくとも一方を含み、
前記収納容器が前記第１の液体で満たされた状態から、前記回復処理を所定回数実施した後に前記導入口へ導かれることを特徴とする請求項２に記載の液体収納容器。
【請求項６】
前記液体吸収体の前記部位は、空気と液体とが混在する部位であることを特徴とする請求項２の液体収納容器。
【請求項７】
前記第２の液体は、前記導入口に挿入されたニードルを介して前記液体吸収体に吸収されることを特徴とする請求項１乃至請求項６のいずれか１項に記載の液体収納容器。
【請求項８】
前記防止手段は、前記液体吸収体で前記第１の液体と前記第２の液体を分離する空気層で構成されることを特徴とする請求項１乃至請求項７のいずれか１項に記載の液体収納容器。
【請求項９】
請求項１ないし請求項８のいずれか１項に記載の液体収納容器を搭載可能な液体吐出装置。
【請求項１０】
液体収納容器内の液体吸収体に吸収された第１の液体を液体吐出ヘッドに供給し、前記液体吐出ヘッドから前記第１の液体を吐出する液体吐出装置において、
前記液体吐出ヘッドへ供給されない第２の液体を前記液体吸収体に案内する案内手段と、
前記案内手段により案内される前記第２の液体が前記第１の液体に混ざらないようにする防止手段と、
を有することを特徴とする液体吐出装置。
【請求項１１】
液体収納容器が備える液体吸収体に吸収された第１の液体を液体吐出ヘッドに供給する供給工程と、
前記液体吐出ヘッドへ供給されない第２の液体を前記液体吸収体に導く導入工程と、
前記液体吸収体に導かれる前記第２の液体が前記第１の液体に混ざらないようにする防止工程と、
を含むことを特徴とする液体導入方法。
【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
所定の始動条件の成立により遊技者に有利な特別遊技を行うか否かを判定する特別遊技判定手段と、
所定の演出手段を制御する演出制御手段と、
を備え、
前記演出制御手段は、
前記特別遊技判定手段による判定結果に基づいて、当該判定結果を示す遊技演出を行わせる遊技演出制御手段と、
予め設定された開始時間までの時間を計時する計時手段と、
前記計時手段により前記開始時間の到来を知得すると、前記演出手段に前記遊技演出とは異なる特別演出を行わせる特別演出制御手段と、
所定の条件が成立し、かつ、前記開始時間までの時間が所定の時間未満であることを条件として、前記特別演出が行われる前に、前記遊技演出が行われていても行われていなくても、前記計時手段によって計時されている時間に応じて、前記開始時間に関する情報を報知する報知演出を行わせる報知演出制御手段と、
を有することを特徴とする遊技機。
【手続補正２】
【補正対象書類名】明細書
【補正対象項目名】０００６
【補正方法】変更
【補正の内容】
【０００６】
本発明の遊技機は、所定の始動条件の成立により遊技者に有利な特別遊技を行うか否かを判定する特別遊技判定手段と、所定の演出手段を制御する演出制御手段と、を備え、前記演出制御手段は、前記特別遊技判定手段による判定結果に基づいて、当該判定結果を示す遊技演出を行わせる遊技演出制御手段と、予め設定された開始時間までの時間を計時する計時手段と、前記計時手段により前記開始時間の到来を知得すると、前記演出手段に前記遊技演出とは異なる特別演出を行わせる特別演出制御手段と、所定の条件が成立し、かつ、前記開始時間までの時間が所定の時間未満であることを条件として、前記特別演出が行われる前に、前記遊技演出が行われていても行われていなくても、前記計時手段によって計時されている時間に応じて、前記開始時間に関する情報を報知する報知演出を行わせる報知演出制御手段と、を有することを特徴とする。
【手続補正３】
【補正対象書類名】明細書
【補正対象項目名】０００７
【補正方法】削除
【補正の内容】
【手続補正書】
【提出日】平成28年7月8日(2016.7.8)
【手続補正１】
【補正対象書類名】特許請求の範囲
【補正対象項目名】請求項１０
【補正方法】変更
【補正の内容】
【請求項１０】
体積粒子径D50が７〜１２μｍであり、かつ以下の手順
i) 濃度1mg（乾燥菌体重量）/mL（EtOH）のサンプル液を用意する、
ii) サンプルを振とうさせる（25℃、300rpm）、
iii) 振とう開始後３分または８分に上澄みを分取し、フィルターにより、ろ過する、および
iv) サンプルに等容積のエタノールを添加し、480nmでの吸光度を測定する、
を用いてエタノール抽出を行ったときのアスタキサンチン抽出速度が、３分あたり１．１または８分あたり１．９の吸光度（A480nm）となる抽出速度である、体積粒子径D50が20μｍ以下に微粉化されたアスタキサンチン含有乾燥パラコッカス菌体粉末。
【手続補正書】
【提出日】平成28年6月27日(2016.6.27)
【手続補正１】
【補正対象書類名】特許請求の範囲
【補正対象項目名】請求項１
【補正方法】変更
【補正の内容】
【請求項１】
遊離グルコース含有量が固形分当たり４．５質量ｐｐｍ以上１０００質量ｐｐｍ以下であり、かつメジアン径が４．９μｍ以下の物理的に微小化されていることを特徴とする、架橋でん粉。
【手続補正２】
【補正対象書類名】明細書
【補正対象項目名】００１２
【補正方法】変更
【補正の内容】
【００１２】
［１］本発明の第一の態様に係る架橋でん粉は、遊離グルコース含有量が固形分当たり４．５質量ｐｐｍ以上１０００質量ｐｐｍ以下であり、かつメジアン径が４．９μｍ以下の物理的に微小化されていることを特徴とする。
［２］前記［１］の架橋でん粉としては、固形分として０．４質量％になるように水に分散させた分散溶液が白濁するものが好ましい。
［３］本発明の第二の態様に係る架橋でん粉の微小化方法は、架橋でん粉を、メジアン径が４．９μｍ以下、かつ固形分当たりの遊離グルコース含有量が４．５質量ｐｐｍ以上１０００質量ｐｐｍ以下になるように、ビーズミル及びジェットミルから選択される１種以上を使用して粉砕することを特徴とする
［４］前記［３］の架橋でん粉の微小化方法としては、粉砕後の架橋でん粉が、固形分として０．４質量％になるように水に分散させた時に白濁するものであることが好ましい。
［５］本発明の第三の態様に係る飲食品は、前記［１］又は［２］の架橋でん粉を含有することを特徴とする。
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
被酸化性呈色試薬を用いたウリカーゼ法又はパーオキシダーゼ法による血漿、血清及び尿より選ばれる試料中の尿酸の測定法であり、（１）前記試料に非イオン性界面活性剤を接触させて静置又はインキュベーションし、次いで（２）前記試料と非イオン性界面活性剤の混合物にベタイン型両性界面活性剤を接触させ、ベタイン型両性界面活性剤との接触と同時又は接触後にウリカーゼ又はパーオキシダーゼとの反応及び被酸化性呈色試薬による呈色反応を行うことを特徴とする前記血漿、血清又は尿より選ばれる試料中の尿酸の測定法であって、
前記非イオン性界面活性剤は、ポリオキシエチレンポリオキシプロピレン縮合物、ポリオキシエチレンポリオキシプロピレンアルキルアミン縮合物、ポリオキシエチレンポリオキシプロピレンジアミン縮合物、ポリオキシエチレンアルキルエーテル、ポリオキシエチレンアルキルフェニルエーテル、及びポリオキシエチレン多価アルコール脂肪酸エステルから選ばれる１種又は２種以上であり、前記非イオン性界面活性剤の使用量が、血漿、血清及び尿より選ばれる試料と接触させた後の濃度が０．５〜１０ｗ／ｖ％となる量であり、前記ベタイン型両性界面活性剤の使用量が、前記試料と接触させた後の濃度が０．５〜１０ｗ／ｖ％となる量である測定法。
【請求項２】
前記血漿、血清及び尿より選ばれる試料が、血漿又は血清である請求項１記載の測定法。
【請求項３】
ベタイン型両性界面活性剤が、アルキルベタイン、アミドアルキルベタイン、スルホベタイン、及び２−アルキル−Ｎ−カルボキシメチル−Ｎ−ヒドロキシエチルイミダゾリニウムベタインから選ばれる１種又は２種以上である請求項１又は２記載の測定法。
【請求項４】
被酸化性呈色試薬が、過酸化水素と反応して呈色する１種又は２種以上の成分である請求項１〜３のいずれか１項記載の測定法。
【請求項５】
前記血漿、血清及び尿より選ばれる試料中の尿酸の測定値に対するヘモグロビン及びビリルビンの影響を回避するための測定法である請求項１〜４のいずれか１項に記載の測定法。
【請求項６】
（Ａ）試料と接触させた後の濃度が０．５〜１０ｗ／ｖ％となる量のポリオキシエチレンポリオキシプロピレン縮合物、ポリオキシエチレンポリオキシプロピレンアルキルアミン縮合物、ポリオキシエチレンポリオキシプロピレンジアミン縮合物、ポリオキシエチレンアルキルエーテル、ポリオキシエチレンアルキルフェニルエーテル、及びポリオキシエチレン多価アルコール脂肪酸エステルから選ばれる１種又は２種以上の非イオン性界面活性剤を含有する第１試薬と、（Ｂ）試料と接触させた後の濃度が０．５〜１０ｗ／ｖ％となる量のベタイン型両性界面活性剤と、（Ｃ）ウリカーゼ又はパーオキシダーゼと、（Ｄ）被酸化性呈色試薬を含有する第２試薬とを含み、請求項１〜５のいずれか１項に記載される、血漿、血清及び尿より選ばれる試料中の尿酸の測定法に使用する酵素法測定試薬。
【請求項７】
下記（Ａ）を含有する第１試薬と下記（Ｂ）、（Ｃ）及び（Ｄ）を含有する第２試薬とを含むことを特徴とし、血漿、血清及び尿より選ばれる試料に第１試薬を反応させ、次いで第２試薬を反応させて当該試料中の尿酸の測定に使用する酵素法測定試薬。
（Ａ）ヘモグロビンの影響を回避するための有効成分としてのポリオキシエチレンポリオキシプロピレン縮合物、ポリオキシエチレンポリオキシプロピレンアルキルアミン縮合物、ポリオキシエチレンポリオキシプロピレンジアミン縮合物、ポリオキシエチレンアルキルエーテル、ポリオキシエチレンアルキルフェニルエーテル、及びポリオキシエチレン多価アルコール脂肪酸エステルから選ばれる１種又は２種以上の非イオン性界面活性剤  試料と接触させた後の濃度が０．５〜１０ｗ／ｖ％となる量
（Ｂ）ビリルビンの影響を回避するための有効成分としてのベタイン型両性界面活性剤  前記試料と接触させた後の濃度が０．５〜１０ｗ／ｖ％となる量
（Ｃ）ウリカーゼ又はパーオキシダーゼ
（Ｄ）被酸化性呈色試薬
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
麦由来成分を含有し、プリン体の含有量が１．１ｍｇ／１００ｍＬ以下であり、０．５〜４．０ｗ／ｖ％の水溶性食物繊維を含有し、１０〜２０ｐｐｍのイソα酸を含有していることを特徴とするビールテイスト飲料。
【請求項２】
最終製品中のプリン体の含有量が１．１ｍｇ／１００ｍＬ以下となるように麦由来原料を含有させ、最終製品中の含有量が０．５〜４．０ｗ／ｖ％となるように水溶性食物繊維を含有させ、最終製品中の含有量が１０〜２０ｐｐｍとなるようにイソα酸を含有させることを特徴とするビールテイスト飲料の製造方法。
【手続補正２】
【補正対象書類名】明細書
【補正対象項目名】０００９
【補正方法】変更
【補正の内容】
【０００９】
前記課題を解決した本発明は、以下の構成を有する。
（１）麦由来成分を含有し、プリン体の含有量が１．１ｍｇ／１００ｍＬ以下であり、０．５〜４．０ｗ／ｖ％の水溶性食物繊維を含有し、１０〜２０ｐｐｍのイソα酸を含有していることを特徴とするビールテイスト飲料。
（２）最終製品中のプリン体の含有量が１．１ｍｇ／１００ｍＬ以下となるように麦由来原料を含有させ、最終製品中の含有量が０．５〜４．０ｗ／ｖ％となるように水溶性食物繊維を含有させ、最終製品中の含有量が１０〜２０ｐｐｍとなるようにイソα酸を含有させることを特徴とするビールテイスト飲料の製造方法。
【手続補正書】
【提出日】平成28年4月7日(2016.4.7)
【手続補正１】
【補正対象書類名】明細書
【補正対象項目名】０００７
【補正方法】変更
【補正の内容】
【０００７】
本発明の一の態様によれば、
デザイン画像を描画対象の幅方向に沿って湾曲した描画領域にフィッティングして、前記デザイン画像の描画用のデータを生成する描画データ生成部と、
前記描画用のデータに基づいて、前記描画領域に描画を施す描画部と、
を備え、
前記デザイン画像は少なくとも１つのデザイン要素を有し、
前記描画データ生成部は、前記デザイン画像において、前記デザイン要素が前記描画領域の前記幅方向の両側の少なくとも一方に設定される一つの縁部領域と前記描画領域の前記縁部領域を除く領域と配置されている場合に、前記縁部領域に配置されている前記デザイン要素を前記デザイン画像から削除して、前記描画領域から前記縁部領域を除いた領域に前記削除を行った後の前記デザイン画像をフィッティングして、前記描画用のデータを生成することを特徴とする描画装置が提供される。
【手続補正２】
【補正対象書類名】明細書
【補正対象項目名】０００８
【補正方法】変更
【補正の内容】
【０００８】
また、本発明の他の態様によれば、
描画装置の描画制御方法であって、
デザイン画像を描画対象の幅方向に沿って湾曲した描画領域にフィッティングして、前記デザイン画像の描画用のデータを生成する描画データ生成ステップと、
生成された前記描画用のデータに基づいて、前記描画領域に描画を施す描画ステップと、
を含み、
前記デザイン画像は少なくとも１つのデザイン要素を有し、
前記描画データ生成ステップは、前記デザイン画像において、前記デザイン要素が、前記描画領域の前記幅方向の両側の少なくとも一方に設定される一つの縁部領域と前記描画領域の前記縁部領域を除く領域とに配置されている場合に、前記縁部領域に配置されている前記デザイン要素を前記デザイン画像から削除して、前記描画領域から前記縁部領域を除いた領域に前記削除を行った後の前記デザイン画像をフィッティングするフィッティングステップを含むことを特徴とする描画装置の描画制御方法が提供される。
【手続補正３】
【補正対象書類名】特許請求の範囲
【補正対象項目名】全文
【補正方法】変更
【補正の内容】
【特許請求の範囲】
【請求項１】
デザイン画像を描画対象の幅方向に沿って湾曲した描画領域にフィッティングして、前記デザイン画像の描画用のデータを生成する描画データ生成部と、
前記描画用のデータに基づいて、前記描画領域に描画を施す描画部と、
を備え、
前記デザイン画像は少なくとも１つのデザイン要素を有し、
前記描画データ生成部は、前記デザイン画像において、前記デザイン要素が前記描画領域の前記幅方向の両側の少なくとも一方に設定される一つの縁部領域と前記描画領域の前記縁部領域を除く領域と配置されている場合に、前記縁部領域に配置されている前記デザイン要素を前記デザイン画像から削除して、前記描画領域から前記縁部領域を除いた領域に前記削除を行った後の前記デザイン画像をフィッティングして、前記描画用のデータを生成することを特徴とする描画装置。
【請求項２】
請求項１記載の描画装置において、
前記デザイン画像は、前記デザイン要素の背景となっている背景デザインを有し、
前記描画データ生成部は、前記背景デザインを前記描画領域の全体にフィッティングして、前記描画用のデータを生成することを特徴とする描画装置。
【請求項３】
請求項１記載の描画装置において、
前記描画データ生成部は、
前記デザイン画像における前記デザイン要素のデータに基づいて、前記デザイン要素の背景となる背景デザインを作成し、
前記背景デザインを前記描画領域の全体にフィッティングして、前記描画用のデータを生成することを特徴とする描画装置。
【請求項４】
請求項１〜３のいずれか一項に記載の描画装置において、
前記描画領域を撮影して取得された画像から、前記描画領域の幅方向の湾曲の程度を検出する情報検出部と、
前記情報検出部により検出された前記描画領域の幅方向の湾曲の程度に基づいて、前記縁部領域の、該描画領域の幅方向の幅を設定する領域設定部と、
を備えることを特徴とする描画装置。
【請求項５】
請求項１〜４のいずれか一項に記載の描画装置において、
前記描画部は、前記描画対象に接触して前記描画領域に前記描画を施す描画用具を有することを特徴とする描画装置。
【請求項６】
請求項１〜５のいずれか一項に記載の描画装置において、
前記描画部は、インクジェット方式により前記描画領域に前記描画を施す印刷ヘッドを有することを特徴とする描画装置。
【請求項７】
描画装置の描画制御方法であって、
デザイン画像を描画対象の幅方向に沿って湾曲した描画領域にフィッティングして、前記デザイン画像の描画用のデータを生成する描画データ生成ステップと、
生成された前記描画用のデータに基づいて、前記描画領域に描画を施す描画ステップと、
を含み、
前記デザイン画像は少なくとも１つのデザイン要素を有し、
前記描画データ生成ステップは、前記デザイン画像において、前記デザイン要素が、前記描画領域の前記幅方向の両側の少なくとも一方に設定される一つの縁部領域と前記描画領域の前記縁部領域を除く領域とに配置されている場合に、前記縁部領域に配置されている前記デザイン要素を前記デザイン画像から削除して、前記描画領域から前記縁部領域を除いた領域に前記削除を行った後の前記デザイン画像をフィッティングするフィッティングステップを含むことを特徴とする描画装置の描画制御方法。
【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
遊技の進行を制御するメイン制御手段と、
前記メイン制御手段によって制御され、遊技媒体に関する情報、又はエラーに関する情報を表示する表示部と
を備え、
１つの前記表示部で１つの桁を表示するとともに、複数桁からなる１つの情報を表示可能に複数個の前記表示部を備え、
前記メイン制御手段は、
割込み処理ごとに更新され、情報を表示する前記表示部を指定するためのカウンタ値を記憶するカウンタ値記憶手段と、
前記表示部に表示するための情報を記憶する表示データ記憶手段と
を備え、
前記カウンタ値記憶手段に記憶されているカウンタ値が第１の値となったときに、前記表示データ記憶手段に記憶されている情報に基づいて、１つの桁の前記表示部を点灯可能とし、
前記カウンタ値記憶手段に記憶されているカウンタ値が第２の値となったときに、前記表示データ記憶手段に記憶されている情報に基づいて、他の１つの桁の前記表示部を点灯可能とし、
所定のエラーが発生したと判断したときは、前記表示データ記憶手段に記憶されている遊技媒体に関する情報を所定のレジスタに記憶した後に、前記表示データ記憶手段に前記所定のエラーに関する情報を記憶し、
前記所定のエラーが解除されたときは、前記所定のレジスタに記憶した遊技媒体に関する情報を前記表示データ記憶手段に記憶する
ことを特徴とする遊技機。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
前述の特許文献１の技術では、切替えスイッチ１００（設定キースイッチ）のオン／オフにより点灯させる表示器を切り替えることができるが、手動によるものであるので、自動制御による複数個の７セグのダイナミック点灯制御ではない。また、払出し枚数表示器５０のうち、十位表示器５１は常時点灯状態にあるため、一位表示器５２と設定値表示器６０との点灯を切替えスイッチ１００により切り替えても、表示器全体をダイナミック点灯させることにはならない。
【手続補正４】
【補正対象書類名】明細書
【補正対象項目名】０００６
【補正方法】変更
【補正の内容】
【０００６】
本発明が解決しようとする課題は、スロットマシン等の遊技機において、７セグ等の表示部を複数有する場合に、遊技機特有の制御を利用してダイナミック点灯を可能にすることである。
【手続補正５】
【補正対象書類名】明細書
【補正対象項目名】０００７
【補正方法】変更
【補正の内容】
【０００７】
本発明は、以下の解決手段によって上述の課題を解決する。なお、かっこ書きで、対応する実施形態の構成を示す。
本発明は、
遊技の進行を制御するメイン制御手段（メイン制御基板６０）と、
前記メイン制御手段によって制御され、遊技媒体に関する情報（貯留枚数又は獲得枚数）、又はエラーに関する情報を表示する表示部（デジット１〜デジット４）と
を備え、
１つの前記表示部で１つの桁を表示するとともに、複数桁からなる１つの情報を表示可能に複数個の前記表示部（貯留数表示ＬＥＤ７１又は獲得数表示ＬＥＤ７２）を備え、
前記メイン制御手段は、
割込み処理ごとに更新され、情報を表示する前記表示部を指定するためのカウンタ（ＬＥＤ表示要求カウンタ）値を記憶するカウンタ値記憶手段（ＲＷＭ６１）と、
前記表示部に表示するための情報を記憶する表示データ記憶手段（獲得枚数表示データを記憶するＲＷＭ６１）と
を備え、
前記カウンタ値記憶手段に記憶されているカウンタ値が第１の値（たとえばＤ０ビットが「１」）となったときに、前記表示データ記憶手段に記憶されている情報に基づいて、１つの桁の前記表示部（たとえばデジット１）を点灯可能とし、
前記カウンタ値記憶手段に記憶されているカウンタ値が第２の値（たとえばＤ１ビットが「１」）となったときに、前記表示データ記憶手段に記憶されている情報に基づいて、他の１つの桁の前記表示部（たとえばデジット２）を点灯可能とし、
所定のエラー（復帰可能なエラー）が発生したと判断したときは、前記表示データ記憶手段に記憶されている遊技媒体に関する情報を所定のレジスタ（たとえばＢレジスタ）に記憶した後に、前記表示データ記憶手段に前記所定のエラーに関する情報（たとえば「ＣＰ」エラーの場合には「ＣＢ」の値）を記憶し、
前記所定のエラーが解除されたときは、前記所定のレジスタに記憶した遊技媒体に関する情報を前記表示データ記憶手段に記憶する
ことを特徴とする。
【手続補正６】
【補正対象書類名】明細書
【補正対象項目名】０００８
【補正方法】変更
【補正の内容】
【０００８】
本発明によれば、遊技機で実行する情報処理の１つである割込み処理の周期を利用し、複数のセブンセグメント表示部を複数割込み処理で点灯させるダイナミック点灯制御を行うことができる。
また、エラー情報を表示するときにも割込み処理の周期を利用してダイナミック点灯を行うことができる。
【手続補正書】
【提出日】平成28年4月7日(2016.4.7)
【手続補正１】
【補正対象書類名】明細書
【補正対象項目名】０００６
【補正方法】変更
【補正の内容】
【０００６】
本発明の一の態様によれば、
指の、湾曲形状を有する爪の表面を描画対象面とし、前記描画対象面に接触して該描画対象面に描画を施す描画用具が装着されるキャリッジと、
前記描画を施す際に、前記キャリッジに装着されている前記描画用具を、押圧力で前記描画対象面に近づく向きに押圧する描画用具押圧機構と、
を備え、
前記描画用具押圧機構は、
前記描画用具が前記描画対象面に接触する位置が変化したときの、前記描画対象面の前記描画用具が接触する位置の高さの前記湾曲形状による変化に応じて前記押圧力の大きさを変化させて、前記描画用具が前記描画対象面に接触する位置が変化したときの前記描画用具の接触により前記描画対象面に加えられる圧力の変化を減らすことを特徴とする描画装置が提供される。
【手続補正２】
【補正対象書類名】特許請求の範囲
【補正対象項目名】全文
【補正方法】変更
【補正の内容】
【特許請求の範囲】
【請求項１】
指の、湾曲形状を有する爪の表面を描画対象面とし、前記描画対象面に接触して該描画対象面に描画を施す描画用具が装着されるキャリッジと、
前記描画を施す際に、前記キャリッジに装着されている前記描画用具を、押圧力で前記描画対象面に近づく向きに押圧する描画用具押圧機構と、
を備え、
前記描画用具押圧機構は、
前記描画用具が前記描画対象面に接触する位置が変化したときの、前記描画対象面の前記描画用具が接触する位置の高さの前記湾曲形状による変化に応じて前記押圧力の大きさを変化させて、前記描画用具が前記描画対象面に接触する位置が変化したときの前記描画用具の接触により前記描画対象面に加えられる圧力の変化を減らすことを特徴とする描画装置。
【請求項２】
請求項１記載の描画装置において、
前記描画対象面を撮影して取得された画像に基づいて、前記描画対象面内の前記高さの分布を検出する情報検出部を備え、
前記描画用具押圧機構は、前記情報検出部によって検出された前記描画対象面の前記高さの分布に基づいて前記押圧力を変化させることを特徴とする描画装置。
【請求項３】
請求項１又は２に記載の描画装置において、
前記キャリッジは、前記描画用具を前記描画対象面から離れる向きに付勢する付勢部材を有し、
前記描画用具押圧機構は、前記付勢部材による付勢力に抗して前記描画用具を押圧することを特徴とする描画装置。
【請求項４】
請求項１乃至３の何れか１項に記載の描画装置において、
前記描画用具押圧機構は、
押圧部材と、
前記押圧部材を回動させて前記描画用具を前記描画対象面に対して近づく向きに押圧して前記描画用具に前記押圧力を加える駆動機構と、
前記描画対象面の前記描画用具が接触する位置の前記高さに応じて、前記駆動機構による前記押圧部材を回動させる角度を制御して、前記押圧力を変化させる駆動機構制御部と、を備えることを特徴とする描画装置。
【請求項５】
請求項４に記載の描画装置において、
前記描画用具は、前記描画対象面に接触して前記描画を施す一端と、前記一端と対抗する他端と、を有し、
前記駆動機構は、前記押圧部材を前記描画用具の前記他端に接触させて、前記描画用具を押圧することを特徴とする描画装置。
【請求項６】
請求項４又は５に記載の描画装置において、
前記押圧部材は、弾性変形可能な弾性部材であることを特徴とする描画装置。
【請求項７】
請求項４乃至６の何れか一項に記載の描画装置において、
前記駆動機構制御部は、前記描画対象面の前記描画用具が接触する位置の高さが高くなるほど、前記駆動機構による前記押圧部材を押圧する方向に回動させる角度を減らすように、前記駆動機構を制御することを特徴とする描画装置。
【請求項８】
請求項４乃至７の何れか一項に記載の描画装置において、
前記駆動機構は、回転によって前記押圧部材を回動させるモータを有し、
前記駆動機構制御部は、前記モータの回転量を制御することを特徴とする描画装置。
【請求項９】
請求項１乃至８の何れか一項に記載の描画装置において、
更に、インクジェット方式により前記描画領域に前記描画を施す印刷ヘッドを有することを特徴とする描画装置。
【手続補正書】
【提出日】平成27年11月30日(2015.11.30)
【手続補正１】
【補正対象書類名】特許請求の範囲
【補正対象項目名】請求項１
【補正方法】変更
【補正の内容】
【請求項１】
遊技の進行を制御するメイン制御手段と、
前記メイン制御手段からコマンドを受信し、演出を制御するサブ制御手段と
を備え、
前記メイン制御手段は、
所定の条件を満たしたことに基づいて遊技者への有利度が異なる設定値の変更処理が実行可能となる設定値変更手段を備え、
設定値の変更処理の開始に基づいて、第１のコマンドを所定のウェイト時間が経過する前に前記サブ制御手段に送信し、
前記所定のウェイト時間が経過した後、所定のスイッチの操作情報に基づいて設定値を選択可能とし、
設定値の変更処理の終了に基づいて、設定値に関する情報を含む第２のコマンドを前記サブ制御手段に送信し、
前記サブ制御手段は、
第１のコマンドを受信したことに基づいて、所定のデータの初期化処理を実行し、
第２のコマンドを受信したことに基づいて、設定値を記憶する
ことを特徴とする遊技機。
【手続補正２】
【補正対象書類名】明細書
【補正対象項目名】０００６
【補正方法】変更
【補正の内容】
【０００６】
この場合には、サブ制御手段における設定変更時の初期化終了は、メイン制御手段における設定変更時の初期化終了より遅れてしまう。そして、メイン制御手段が初期化を終了し、制御処理を進行させると、サブ制御手段では、初期化が終了していないために、メイン制御手段とサブ制御手段との制御処理の進行において同期がとれなくなるおそれがあるという問題がある。
【手続補正３】
【補正対象書類名】明細書
【補正対象項目名】０００７
【補正方法】変更
【補正の内容】
【０００７】
したがって、本発明が解決しようとする課題は、サブ制御手段における設定変更時の初期化終了がメイン制御手段における設定変更時の初期化終了より遅れる場合であっても、両者の制御処理を同期させることである。
【手続補正４】
【補正対象書類名】明細書
【補正対象項目名】０００８
【補正方法】変更
【補正の内容】
【０００８】
本発明は、以下の解決手段によって上述の課題を解決する。なお、かっこ書きで、対応する実施形態の構成を示す。
本発明は、
遊技の進行を制御するメイン制御手段（メイン制御基板６０）と、
前記メイン制御手段からコマンドを受信し、演出を制御するサブ制御手段（第１サブ制御基板８０）と
を備え、
前記メイン制御手段は、
所定の条件を満たしたこと（プログラム開始処理において、ステップＳ２２に進んだこと）に基づいて遊技者への有利度が異なる設定値の変更処理が実行可能となる設定値変更手段（設定値表示ＬＥＤ６３、設定変更手段６２ａ、設定変更処理プログラム（M_RANK_SET））を備え、
設定値の変更処理の開始に基づいて、第１のコマンド（設定変更処理を開始することを知らせるための制御コマンド）を所定のウェイト時間（ステップＳ３９及びステップＳ４０）が経過する前に前記サブ制御手段に送信し（ステップＳ３７及びＳ３８）、
前記所定のウェイト時間が経過した後、所定のスイッチの操作情報に基づいて設定値を選択可能とし、
設定値の変更処理の終了に基づいて、設定値に関する情報を含む第２のコマンド（設定変更処理を終了すること、及び決定された設定値を知らせるための制御コマンド）を前記サブ制御手段に送信し、
前記サブ制御手段は、
第１のコマンドを受信したことに基づいて、所定のデータの初期化処理を実行し（ステップＳ７５３〜ステップＳ７５４）、
第２のコマンドを受信したことに基づいて、設定値を記憶する
ことを特徴とする。
【手続補正５】
【補正対象書類名】明細書
【補正対象項目名】０００９
【補正方法】変更
【補正の内容】
【０００９】
本発明によれば、メイン制御手段による制御処理とサブ制御手段による制御処理とを同期させることができる。
【手続補正書】
【提出日】平成28年8月30日(2016.8.30)
【手続補正１】
【補正対象書類名】特許請求の範囲
【補正対象項目名】請求項１
【補正方法】変更
【補正の内容】
【請求項１】
互いに直交する縦方向及び横方向と、肌対向面及び非肌対向面とを有し、前後ウエスト域の一方である第１ウエスト域と、それらの他方である第２ウエスト域と、前記第１ウエスト域と前記第２ウエスト域との間に位置するクロッチ域と、前記第１及び第２ウエスト域と前記クロッチ域とのうち、少なくとも前記クロッチ域に位置する吸液性コアとを含む着用物品において、
前記第１ウエスト域は、前記非肌対向面側に位置する外層シートと、前記外層シートよりも内側に位置する内層シートと、前記内外層シート間に配置され、前記外層シートの前記非肌対向面側から視認可能な装飾要素を有する中間シートとを含み、
前記外層シートは、捲縮した複合繊維からなる不織布であって、
前記内層シートの白色度は、前記外層シートの白色度よりも高いことを特徴とする着用物品。
【手続補正２】
【補正対象書類名】特許請求の範囲
【補正対象項目名】請求項４
【補正方法】変更
【補正の内容】
【請求項４】
前記外層シートは弾性的に非伸縮性であって、前記内層シートは、前記外層シートに伸長状態で取り付けられた弾性的に伸縮可能な伸縮性シートである請求項１〜３のいずれかに記載の着用物品。
【手続補正３】
【補正対象書類名】特許請求の範囲
【補正対象項目名】請求項６
【補正方法】変更
【補正の内容】
【請求項６】
前記外層シートは、前記複合繊維が熱圧着により互いに溶着された状態にある溶着部を有する請求項１〜５のいずれかに記載の着用物品。
【手続補正４】
【補正対象書類名】特許請求の範囲
【補正対象項目名】請求項７
【補正方法】変更
【補正の内容】
【請求項７】
前記外層シートは、酸化チタンの含有量が０．１質量％以下である請求項１〜６のいずれかに記載の着用物品。
【手続補正５】
【補正対象書類名】明細書
【補正対象項目名】００１９
【補正方法】変更
【補正の内容】
【００１９】
内層シート２１，２２は、外層シート２３，２４よりも高い白色度を有する。具体的には、内層シート２１，２２は、酸化チタンの含有量が０．１質量％以上であって、白色度が４５〜５５であり、外層シート２３，２４は、酸化チタンの含有量が０．１質量％以下、好ましくは０．０質量％であって、白色度が４０〜５０である。
【手続補正６】
【補正対象書類名】明細書
【補正対象項目名】００２３
【補正方法】変更
【補正の内容】
【００２３】
＜吸収シャーシ＞
図２及び３を参照すると、吸収シャーシ１２は、前後ウエストパネル１６，１７に取り付けられた前後端部１２Ａ，１２Ｂと、前後端部１２Ａ，１２Ｂの間に位置する中間部１２Ｃとを有しており、少なくともクロッチ域１５において縦方向Ｙへ延びる吸液性コア４３と、吸液性コア４３の肌対向面側に位置する親水性の繊維不織布から形成されたトップシート４４と、吸液性コア４３の非肌対向面側に位置する疎水性又は難透液性の繊維不織布から形成されたバックシート４５と、吸液性コア４３とバックシート４５との間に配置された、少なくとも吸液性コア４３のバックシート４５と対向する面全体を被覆する大きさを有する不透液性の防漏シート４６とを含む。トップシート４４とバックシート４５には、ＳＭＳ繊維不織布やスパンボンド不織布等の各種公知の繊維不織布を用いることができる。
【手続補正７】
【補正対象書類名】明細書
【補正対象項目名】００２６
【補正方法】変更
【補正の内容】
【００２６】
記述のとおり、おむつ１０の前後ウエスト域１３，１４において、中間シート５１，５２は、内外層シート２１−２４の間であって、外層シート２３，２４の非肌対向面側に接合されており、内層シート２１，２２の白色度は、外層シート２３，２４のそれよりも高いため、白色度が低い外層シート２３，２４を通して装飾要素５３を視認することができ、その結果、装飾要素５３の視認性を高めることができる。かかる効果を得るために、外層シート２３，２４における酸化チタンの含有量を約０．１質量％以下にし、内層シート２１，２２における酸化チタンの含有量を約０．１質量％以上にすることが好ましい。また、中間シート５１，５２の非配置領域となる前後ウエスト域１３，１４の両側部１３Ｂ，１４Ｂでは、外層シート２３，２４と白色度が比較的に高い内層シート２１，２２とが積層されることによって、着用者の肌が透視されることを抑えることができる。両側部１３Ｂ，１４Ｂにおける白色度は、５５以上であることが好ましく、白色度をこのような値にすることで肌の透視を確実に抑えることができる。さらに、両側部１３Ｂ，１４Ｂにおいて白色度が５５〜７０の範囲内であることが好ましい。
【手続補正８】
【補正対象書類名】明細書
【補正対象項目名】００３２
【補正方法】変更
【補正の内容】
【００３２】
また、外層シート２３，２４における酸化チタンの含有量を約０．１質量％以下とすることによって、中間シート５１，５２と外層シート２３，２４とを一層密着させることができ、その結果、装飾要素５３の視認性を向上させることができる。つまり、酸化チタンの含有量が比較的に多い場合には、外層シート２３，２４を形成する不織布の表面に凹凸が形成され、中間シート５１，５２との密着性が低下するおそれがある。一方、本実施形態のおむつ１０では、酸化チタンの含有量を約０．１質量％以下とすることによって、不織布の表面を平滑にし、中間シート５１，５２との密着性を向上させることができる。
【手続補正９】
【補正対象書類名】明細書
【補正対象項目名】００３７
【補正方法】変更
【補正の内容】
【００３７】
上記段落００３６に開示した本発明は、少なくとも下記の実施の態様を含むことができる。
（１）第１ウエスト域１３は、吸液性コア４３が配置される中央部１３Ａと、横方向Ｘにおいて中央部１３Ａの外側に位置する両側部１３Ｂとを有し、両側部１３Ｂの白色度は、５５以上である。
（２）外層シート２３は、単位面積当たりの質量が２０〜３０ｇ／ｍ２、繊度が１．０〜８．０ｄｔｅｘ、厚さ寸法が０．１５〜１．５ｍｍ、白色度が４０〜５０である。
（３）外層シート２３は弾性的に非伸縮性であって、内層シート２１は、外層シート２３に伸長状態で取り付けられた弾性的に伸縮可能な伸縮性シートである。
（４）外層シート２３と中間シート５１とは、中間シート５１の全域に亘って塗布された接着手段６１を介して接合され、接着手段６１が塗布された領域は、中間シート５１の全面積の４％以上である。
（５）外層シート２３は、前記複合繊維が熱圧着により互いに溶着された状態にある溶着部７５を有する。
（６）前記外層シートは、酸化チタンの含有量が０．１質量％以下である。
【手続補正書】
【提出日】平成28年8月29日(2016.8.29)
【手続補正１】
【補正対象書類名】特許請求の範囲
【補正対象項目名】請求項１
【補正方法】変更
【補正の内容】
【請求項１】
縦方向及びそれに直交する横方向と、前記縦方向の寸法を二等分して前記横方向へ延びる横中心線 と、肌対向面及び非肌対向面と、前ウエスト域と、後ウエスト域と、前記前後ウエスト域間に位置するクロッチ域と、少なくとも前記クロッチ域に配置された、吸収性コアを備えた吸液構造体とを含む使い捨て着用物品であって、
前記吸液構造体の前記クロッチ域において前記横中心線よりも前記前ウエスト域側にのみ前記吸収性コアと重なるように少なくとも前記横方向へ伸縮可能なクロッチ弾性体が配設されることを特徴とする着用物品。
【手続補正２】
【補正対象書類名】特許請求の範囲
【補正対象項目名】請求項５
【補正方法】変更
【補正の内容】
【請求項５】
前記クロッチ弾性体は、複数条のストリング状又はストランド状の弾性体であって、
前記クロッチ伸縮域は、前記前ウエスト域側の前記横方向の寸法が、前記横中心線側の前記横方向の寸法よりも大きくなるように前記クロッチ弾性体の収縮力を設定してある請求項４に記載の着用物品。
【手続補正３】
【補正対象書類名】明細書
【補正対象項目名】００３１
【補正方法】変更
【補正の内容】
【００３１】
本実施形態にかかるおむつ１０においては、図６に示すように、吸液構造体３７のクロッチ域１５において横中心線Ｑよりも前ウエスト域１３側のみに吸収性コア３４ｄと重なるように少なくとも横方向Ｘへ伸縮可能なクロッチ弾性体４０が配設されていることによって、吸収性コア３４ｄが略長方形状であっても、着用時においてはクロッチ弾性体４０の収縮によって吸収性コア３４ｄの横方向Ｘの寸法が縮められて幅狭となる。したがって、吸収性コア３４ｄの両側縁３４ｃは着用者の身体形状に沿った凹曲状を呈するので、吸収性コア３４ｄの吸収容量が低下することを防止しつつ、おむつ１０の着用感を向上することができる。また、クロッチ弾性体４０が配置されることによって、クロッチ域１５の前側部分１５Ａにおける縦方向Ｙの中央が横に張り出したような形状を有することはなく、着用状態において大腿部間に挟まれて幅狭となるので、外観視においてすっきりとした印象を与えることができる。しかも、クロッチ弾性体３６を一定間隔で複数配置することによって小皺を複数形成させ、体液の漏れを誘発するような大きな皺が吸収体３４に形成されるのを防止することができる。
【手続補正４】
【補正対象書類名】明細書
【補正対象項目名】００６０
【補正方法】変更
【補正の内容】
【００６０】
上記段落［００５９］に開示した本発明に係る使い捨て着用物品は、少なくとも下記の実施の形態を含むことができる。該実施の形態は、分離して又は互いに組み合わせて採択することができる。
（１）前記着用物品に力が加えられておらず、前記クロッチ弾性体の収縮力が作用しない状態において、前記吸収性コアを含む前記クロッチ域における前記横方向の寸法が、前記前後ウエスト域における前記横方向の寸法の８０〜１０５％である。
（２）前記前ウエスト域は、前記横方向へ伸縮可能であって前記横方向へ延びる前ウエスト弾性体の伸縮力が作用する前ウエスト伸縮域を有し、前記後ウエスト域は、前記横方向へ伸縮可能であって前記横方向へ延びる後ウエスト弾性体の伸縮力が作用する後ウエスト伸縮域を有し、前記クロッチ域は、前記クロッチ弾性体の伸縮力が作用するクロッチ伸縮域を有し、前記前後ウエスト伸縮域と前記クロッチ伸縮域とは、平面視において互いに重ならない。
（３）前記クロッチ弾性体は、前記吸収性コアの前記非肌対向面側に配置されている。
（４）前記クロッチ弾性体は、複数条のストリング状又はストランド状の弾性体であって、前記クロッチ伸縮域は、前記前ウエスト域側の前記横方向の寸法が、前記横中心線側の前記横方向の寸法よりも大きくなるように前記クロッチ弾性体の収縮力を設定してある。
（５）前記吸液構造体は、前記縦方向へ延びる凹状溝を有し、前記凹状溝は、平面視において前記クロッチ弾性体の一部に重なる。
（６）前記前ウエスト域を画成する前ウエストパネルと、前記後ウエスト域を画成する後ウエストパネルとをさらに含み、前記前ウエストパネルと前記後ウエストパネルとが前記縦方向において互いに離間対向し、前記吸液構造体の前後端部が前記前後ウエストパネルに固定される。
（７）前記前後ウエストパネルと、前記吸液構造体を含む吸収シャーシとによって一対のレッグ開口が画成され、前記前後ウエスト伸縮域は、前記レッグ開口側において前記横方向において離間対向して位置する一対の伸縮域を含み、前記一対の伸縮域間には非伸縮域が位置する。
【手続補正５】
【補正対象書類名】図面
【補正対象項目名】図６
【補正方法】変更
【補正の内容】
【図６】
2016010512.tif 000001